(57)【特許請求の範囲】
【請求項１】
電気器具が、電源プラグ(1)を脱着できるように挿入する嵌入凹部(2)をケース(3)に設けており、この嵌入凹部(2)には電源プラグ(1)に接続される複数のプラグロッド(4)を配設しており、電源プラグ(1)を嵌入凹部(2)に挿入して、電源プラグ(1)をプラグロッド(4)に接続されるようにしてなる電気器具の電源プラグ連結構造であって、
嵌入凹部(2)の底面に、隣接しているプラグロッド(4)の間に位置して電触防止隔壁(5)を突出して設けており、この電触防止隔壁(5)を嵌入する切欠部(6)を電源プラグ(1)に設けており、電源プラグ(1)の切欠部(6)に電触防止隔壁(5)を入れて、電源プラグ(1)を嵌入凹部(2)に連結するようにしており、電触防止隔壁(5)は片側を嵌入凹部(2)の内面に連結して、他端を嵌入凹部(2)の内面から離して空隙(7)を設けており、この空隙(7)に位置して、嵌入凹部(2)の底部に安全弁の弁孔(8)を開口してなる電気器具の電源プラグ連結構造。
【発明の詳細な説明】
【０００１】
【発明の属する技術分野】
本発明は、主として、電気かみそりである電気器具に電源プラグを連結する構造に関する。
【０００２】
【従来の技術】
電気かみそり等の電気器具は、直接に交流１００Ｖのコンセントに接続するプラグ金属をケースに設けているタイプと、電源プラグを脱着できるように連結するタイプとがある。電源プラグを連結するタイプは、電気器具に電源回路を内蔵させる必要がなく、全体をコンパクトにして内部構造を簡単にできる。また、電源プラグに電源コードを接続したものを使用すると、電源プラグを連結する状態で使用することもできる。
【０００３】
【発明が解決しようとする課題】
しかしながら、電源プラグを連結して電力を供給する構造は、電源プラグを連結する部分に水があると、プラグロッドと、これに接続する電源プラグ内蔵の電源端子が電触することがある。電触は、水を介してプラグロッド間に漏れ電流が流れるときに発生する。プラグロッド間に漏れ電流が流れると、電流が金属を金属イオンとして溶融させるので、電触が発生する。電触は、プラグロッドや電源端子を表面から侵食して接触不良の原因となる。プラグロッドが侵食されると細くなり、電源端子が侵食されると薄くなり、電源端子が充分な接触圧でプラグロッドに接触できなくなるからである。さらに、表面状態が悪化することも、接触不良の原因となる。
【０００４】
プラグロッド等の電触は、ケースを水密構造とする電気器具において特に発生しやすい。水密構造の電気器具は、水洗いして洗浄できるので、水洗いするときに、嵌入凹部に水が入り、ここに溜った水を簡単には排出できないからである。
【０００５】
漏れ電流による電触は、プラグロッド間に流れる漏れ電流を少なくして防止できる。プラグロッドや電源端子の侵食量が、漏れ電流の積算値に比例するからである。プラグロッド間の漏れ電流を少なくするには、嵌入凹部を水がたまり難い形状とし、あるいは、プラグロッドの間隔を広くする必要がある。
【０００６】
しかしながら、ケースに嵌入凹部を設けて、ここに電源プラグを挿入して連結する構造は、嵌入凹部を水が溜らない形状とするのが難しい。ケース内に水が侵入しないように、嵌入凹部の底を水密構造に閉塞する必要があるからである。底に水抜き用の孔を開けると、嵌入凹部の水を排水できるが、ここに孔を開けると、嵌入凹部の水がケース内に侵入して内部の電子部品に悪い影響をあたえる。
【０００７】
このため、プラグロッド等の間の漏れ電流を少なくするには、嵌入凹部に配設しているプラグロッド間の間隔を広くする必要があるが、このことは嵌入凹部を大きくして、連結部分をコンパクトにできない弊害がある。
【０００８】
本発明は、このような欠点を解決することを目的に開発されたもので、本発明の重要な目的は、嵌入凹部に溜る水の漏れ電流による電触を効果的に防止できる電気器具の電源プラグ連結構造を提供することにある。
【０００９】
【課題を解決するための手段】
本発明の電源プラグ連結構造は、電気器具のケース３に、電源プラグ１を脱着する嵌入凹部２をケース３に設けている。この嵌入凹部２は、電源プラグ１に接続される複数のプラグロッド４を配設している。電源プラグ１が嵌入凹部２に挿入されて、電源プラグ１がプラグロッド４に接続される。嵌入凹部２の底面は、隣接しているプラグロッド４の間に位置して電触防止隔壁５を突出して設けている。この電触防止隔壁５を観入するための切欠部６が電源プラグ１に設けられている。この切欠部６に電触防止隔壁５が案内されて、電源プラグ１が嵌入凹部２に連結される。電触防止隔壁５は、片側を嵌入凹部２の内面に連結して、他端を嵌入凹部２の内面から離して空隙７を設けている。この空隙７に位置して、嵌入凹部２の底部に安全弁の弁孔８を開口している。
【００１１】
【発明の実施の形態】
以下、本発明の実施例を図面に基づいて説明する。ただし、以下に示す実施例は、本発明の技術思想を具体化するための電気器具の電源プラグ連結構造を例示するものであって、本発明は電源プラグの連結構造を以下のものに特定しない。
【００１２】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１３】
以下、電気器具を電気かみそりとする具体例を詳述する。ただし、本発明は電気器具を電気かみそりに特定しない。電気器具には、たとえば、電動歯ブラシ、電動工具、受信機等のように、電源プラグを連結して電力を供給する全ての器具とすることができる。
【００１４】
図１に示す電気かみそりは、ケース３の底蓋に電源プラグを連結する嵌入凹部２を設けている。嵌入凹部２の拡大斜視図を図２に、横断面図と縦断面図とを図３と図４に示している。これ等の図に示す嵌入凹部２は、開口部を横に長い形状としている。嵌入凹部２は、図５と図６に示す電源プラグ１をスムーズに挿入できるように、電源プラグ１の挿入方向に延長されてなる柱状に成形される。電源プラグ１は、ケース３である底蓋３Ａの表面と直交する方向に抜き差して脱着される。したがって、嵌入凹部２はケース３である底蓋３Ａの表面と直交する方向に延長された柱状に成形される。柱状とは、電源プラグ１の挿入方向と直交する面の断面形状を同じとする形状である。
【００１５】
図２〜図４の嵌入凹部２は、電源プラグ１の逆挿入を阻止するためのガイド凸条９を設けている。ガイド凸条９は、電源プラグ１の挿入方向に延長して底蓋３Ａと一体成形して設けられる。図のガイド凸条９は、断面形状を三角形とする山形で、片方の内面の中央に設けている。さらに、図の嵌入凹部２は、四隅部の曲率半径も異なる大きさとして、電源プラグ１の逆挿入を阻止する形状としている。図の嵌入凹部２は、ガイド凸条９に近いふたつの隅部の曲率半径を小さくして、ガイド凸条９に遠いふたつの隅部の曲率半径を大きくしている。
【００１６】
さらにまた、図の嵌入凹部２は、ガイド凸条９と対向する位置に縦溝１０を設け、この縦溝１０の先端に連通して、底蓋３Ａを貫通する弁孔８を設けている。弁孔８はケース３の内面で薄膜１１を付着して安全弁としている。薄膜１１は弁孔８を気密に閉塞するが、ケース３の内圧が高くなると破損して弁孔８を外部に連通して、ケース３内のガスを排出する。嵌入凹部２の縦溝１０に連通して弁孔８を開口して、弁孔８の内面を薄膜１１で閉塞する安全弁は、使用者が針等で弁孔８を突いて薄膜１１を破損させるのを有効に防止できる。
【００１７】
嵌入凹部２は、侵入した水に起因するプラグロッド間の漏れ電流を防止するために、底に電触防止隔壁５を設けている。図の横に長い嵌入凹部２は、底の中央に電触防止隔壁５を設けてふたつに区画している。電触防止隔壁５は、嵌入凹部２の底面から突出して、プラスチック製の底蓋３Ａと一体成形して設けられる。電触防止隔壁５は隣接するプラグロッド４に流れる漏れ電流を防止する。したがって、電触防止隔壁５は絶縁材で成形される。電気器具のケース３は、ほとんど例外なくプラスチックで成形される。したがって、電触防止隔壁５はプラスチックケースと一体成形して設けられる。
【００１８】
電触防止隔壁５は、低すぎると効果的に漏れ電流を減少できなくなる。したがって、電触防止隔壁５の高さは、好ましくは１〜５ｍｍ、さらに好ましくは２〜４ｍｍとする。電触防止隔壁５は、ガイド凸条９の山部に連通して設けられる。電触防止隔壁５は、嵌入凹部２に挿入する電源プラグ１を定位置に保持するためのガイドの作用をする。電触防止隔壁５は、図７に示す電源プラグ１の切欠部６に案内されて、嵌入凹部２に挿入した電源プラグ１が傾くのを阻止する。電源プラグ１の傾きを阻止するために、電触防止隔壁５の厚さは、好ましくは０．５〜２ｍｍ、さらに好ましくは約１ｍｍとして充分な強度とする。
【００１９】
図３に示す嵌入凹部２は、安全弁である弁孔８を開口するために、電触防止隔壁５の片側を嵌入凹部２の内面に連結して、他端を嵌入凹部２の内面から離して、縦溝１０の部分には狭い空隙７を設けている。
【００２０】
電触防止隔壁５の両側に離して、２本のプラグロッド４を平行に固定している。図は細長い嵌入凹部２の長手方向に離して２本のプラグロッド４を固定している。プラグロッド４は、電気かみそりに電力を供給するので、少なくとも２本を必要とする。ただ、３本以上のプラグロッドを設けることもできる。３本以上のプラグロッドは、２本以上のプラグロッドを並列に接続して電力を供給し、あるいは、電力を供給する以外に信号用のプラグロッドとして使用する。
【００２１】
図の電気かみそりは、ケース３を防水構造とするために、プラグロッド４を水密構造としてケース３の底蓋３Ａに固定している。このプラグロッド４は、図４に示すように、鍔１２でＯリング１３を底蓋３Ａの内面に押し付けて防水構造としている。プラグロッド４は、ケース３の内部に配設されるプリント基板１４に固定される。定位置に固定されるプラグロッド４は、鍔１２でＯリング１３を押圧する位置にあって、底蓋３Ａを水密構造に貫通する。
【００２２】
電源プラグ１は、図５に示すように、嵌入凹部２にスムーズに抜き差しでき、しかも、嵌入凹部２に入れた状態で傾かない形状の挿入部１Ａを先端に設けている。電源プラグの挿入部１Ａは、その外形を嵌入凹部２の内形にほぼ等しく形成して、傾かないように、しかもスムーズに抜き差しできるようにしている。電源プラグ１は、図６に示すように電源コード１５を介して電源アダプター１６に接続される。
【００２３】
これ等の図に示す電源プラグ１は、挿入部１Ａに連結してツマミ部１Ｂとブッシュ部１Ｃとをプラスチックで一体的に成形している。ツマミ部１Ｂは、手でつかみやすいように、挿入部１Ａより大きくしている。ブッシュ部１Ｃは、電源コード１５と一緒に変形してコードの断線を防止する。
【００２４】
電源プラグ１は、図７に示すように、挿入部１Ａの先端に、嵌入凹部２に設けている電触防止隔壁５を嵌入するための切欠部６を設けている。切欠部６は、電触防止隔壁５の高さに等しく、あるいはこれよりも多少は深く、電触防止隔壁５の厚さにほぼ等しい幅としている。電源プラグ１が嵌入凹部２に挿入されると、挿入部１Ａの切欠部６には電触防止隔壁５が案内される。
【００２５】
挿入部１Ａは、プラグロッド４に接続される電源端子（図示せず）をインサートして内蔵させている。電源端子は、弾性変形できる金属板を筒状に加工したもので、その内径をプラグロッド４の外径よりもわずかに小さくしている。この電源端子にプラグロッド４を挿入すると、電源端子が弾性的にプラグロッド４の表面に押圧されて、確実に電気接続される。挿入部１Ａは、内蔵する電源端子にプラグロッド４を挿入できるように、先端にプラグロッド４を挿入する連結孔を設けている。
【００２６】
さらに、電源端子は、ツマミ部１Ｂの内部でリード線に接続され、このリード線を介して電源アダプター１６に接続される。
【００２７】
電源プラグ１が嵌入凹部２に挿入されると、電源アダプター１６はリード線と電源端子を介してプラグロッド４に電気的に接続されて、電気器具に電力を供給する。
【００２８】
【発明の効果】
本発明の電気器具の電源プラグ連結構造は、ケースに設けている嵌入凹部に溜る水に起因する漏れ電流による電触を効果的に防止して、プラグロッドと電源プラグとの接触不良を極減できる特長がある。それは、本発明の電源プラグ連結構造が、嵌入凹部の底に位置して隣接するプラグロッドの間に、漏れ電流を阻止する電触防止隔壁を設けると共に、電源プラグにはこの電触防止隔壁を案内する切欠部を設けているからである。電触防止隔壁が設けられた嵌入凹部は、ここに侵入する水を分離し、あるいは、隣接するプラグロッド間の実質的な距離を長くして漏れ電流を防止する。このため、嵌入凹部に水が侵入しても、漏れ電流は少なくなり、漏れ電流によるプラグロッドや電源端子の電触を有効に防止できる。このことは、たとえば、電気かみそり等のように水洗いして使用される電気器具にとって極めて大切である。それは、ケースをどのように優れた防水構造としても、プラグロッドと電源プラグとが接触不良を起こしたのでは、長期間にわたって故障しないように使用できなくなるからである。
【００２９】
さらに、本発明の電気器具の電源プラグ連結構造は、電触防止隔壁でもって電源プラグを定位置に案内しながら嵌入凹部に挿入できる特長がある。このため、電源プラグを極めてスムーズに嵌入凹部に挿入でき、しかも、電源端子を正確にプラグロッドに案内できる特長も実現できる。
【００３０】
さらにまた、本発明の電気器具の電源プラグ連結構造は、嵌入凹部に設けた電触防止隔壁を電源プラグの切欠部に案内して、嵌入凹部に挿入している電源プラグの傾動を有効に阻止することもできる。このことは、電源プラグを確実に嵌入凹部に挿入して、プラグロッドと電源端子との接触不良を少なくし、またプラグロッドや電源端子に無理な変形力が作用するのを少なくできる特長もある。さらに、電源プラグを抜き差しするときも、プラグロッドや電源端子に無理な変形力が作用するのを防止できる特長がある。
【図面の簡単な説明】
【図１】本発明の実施例の電源プラグ連結構造を備える電気かみそりの斜視図
【図２】図１に示す電気かみそりに設けた嵌入凹部の斜視図
【図３】図２に示す嵌入凹部の横断面図
【図４】図２に示す嵌入凹部の縦断面図
【図５】嵌入凹部に挿入される電源プラグの斜視図
【図６】図５の電源プラグを接続している電源アダプターの斜視図
【図７】図５の電源プラグの正面図
【符号の説明】
１…電源プラグ          １Ａ…挿入部            １Ｂ…ツマミ部
１Ｃ…ブッシュ部
２…嵌入凹部
３…ケース              ３Ａ…底蓋
４…プラグロッド
５…電触防止隔壁
６…切欠部
７…空隙
８…弁孔
９…ガイド凸条
１０…縦溝
１１…薄膜
１２…鍔
１３…Ｏリング
１４…プリント基板
１５…電源コード
１６…電源アダプター
【図１】
0003789714.tif 000002
【図２】
0003789714.tif 000003
【図３】
0003789714.tif 000004
【図４】
0003789714.tif 000005
【図５】
0003789714.tif 000006
【図６】
0003789714.tif 000007
【図７】
0003789714.tif 000008